(57)【特許請求の範囲】
【請求項１】
打撃部材を有して警告音を発生可能なベル手段と、該ベル手段に対して移動可能に設けられた切り換え部材とを備えて、ベル手段から警告音が発生する警告音発生状態とベル手段から警告音が発生しない警告音停止状態とに切り換え可能な熊避けベルであって、
上記ベル手段は、ベル本体と、磁性体からなり上記ベル本体と衝突して警告音を発生させる打撃部材とを備えており、
上記ベル手段を収容するケーシングを設けるとともに、磁石が設けられた上記切り換え部材を上記ケーシングに移動可能に取り付けて、
上記切り換え部材をベル手段に接近させて上記磁石が上記打撃部材を磁着すると打撃部材が固定されて上記警告音停止状態となり、
上記切り換え部材をベル手段から離隔させて、上記磁石による上記打撃部材の磁着状態が解除されると上記警告音発生状態となることを特徴とする熊避けベル。
【請求項２】
上記ケーシングは、上記ベル手段を収容するとともに上記切り換え部材が摺動自在に嵌合される内側筒状部材と、内側筒状部材に被せられた外側筒状部材とを備えており、
上記内側筒状部材は、その円周方向の複数箇所に切り欠き部からなる開口部が形成されており、上記外側筒状部材は、その円周方向の複数箇所に切り欠き部からなる開口部が形成されており、
上記外側筒状部材と内側筒状部材とが円周方向において所要量相対移動されると上記開口部の開放量が変更されて、ベル手段から発生する警告音の音量を調整可能となっていることを特徴とする請求項１に記載の熊避けベル。
【請求項３】
上記ベル手段は、内部が空洞で球状に形成された非磁性金属からなるベル本体と、該ベル本体の内部に収容された打撃部材としての転動片とを備えることを特徴とする請求項２に記載の熊避けベル。
【請求項４】
上記ベル手段は、非磁性金属からなる音響ワン部と、磁性金属からなり上記音響ワン部内に揺動可能に設けられた打撃部材とを備えることを特徴とする請求項２に記載の熊避けベル。
【請求項５】
打撃部材を有して警告音を発生可能なベル手段と、該ベル手段に対して移動可能に設けられた切り換え部材とを備えて、ベル手段から警告音が発生する警告音発生状態とベル手段から警告音が発生しない警告音停止状態とに切り換え可能な熊避けベルであって、
上記ベル手段は、内部が空洞で球状に形成されたベル本体と、該ベル本体の内部に収容された打撃部材としての磁性体からなる転動片とを備えており、
また、上記ベル本体を支持する支持部材を設けるとともに、該支持部材に磁石を設けた上記切り換え部材を揺動可能に設け、
上記切り換え部材を揺動させて上記磁石をベル本体に接近させることにより該磁石によって上記転動片が磁着されると上記警告音停止状態となり、
上記切り換え部材を揺動させて上記磁石をベル本体から離隔させることにより該磁石による転動片の磁着状態が解除されると上記警告音発生状態となることを特徴とする熊避けベル。
【発明の詳細な説明】
【技術分野】
【０００１】
本発明は熊避けベルに関し、より詳しくは、警告音を発生させる警告音発生状態と、警告音を発生させない警告音停止状態とに容易に切り換え可能な熊避けベルに関する。
【背景技術】
【０００２】
従来、ハイキングや山菜取りの際に使用される熊避けベルは知られており、このような熊避けベルは、音響ワン部と該音響ワン部の内部で揺動して音響ワン部との衝突により警告音を発生させる打撃部とを備えている。
こうした従来の熊避けベルは、例えば電車や市街地などにおいて警告音が発生すると他者への迷惑となるため、警告音を発生させる警告音発生状態と警告音を発生させない警告音停止状態とに切り換え可能な熊避けベルが提案されている（例えば特許文献１）。
この特許文献１の熊避けベルは、音響ワン部のめねじ部に打撃部側のおねじを螺合させる構成となっており、警告音発生状態ではこれらを螺合させることにより打撃部の揺動を許容して警告音を発生させるようになっている。他方、警告音停止状態では、音響ワン部のめねじ部から打撃部のおねじを上方へ離脱させて該打撃部を音響ワン部の内面に保持させるようにしてあり、それにより警告音を発生させないようになっている。
【先行技術文献】
【特許文献】
【０００３】
【特許文献１】特開２００５−３２８８１５号公報
【発明の概要】
【発明が解決しようとする課題】
【０００４】
ところで、上記特許文献１の熊避けベルにおいては、警告音発生状態と警告音停止状態とを切り換える場合には、音響ワン部と打撃部とを相互に回転させる必要があった。そのため、特許文献１の熊避けベルをリュックサックに装着した際には、切り換えのたびにリュックサックを下ろして切り換え操作を行う必要があり、切り換え作業が煩雑になっていた。
【課題を解決するための手段】
【０００５】
上述した事情に鑑み、請求項１の発明は、打撃部材を有して警告音を発生可能なベル手段と、該ベル手段に対して移動可能に設けられた切り換え部材とを備えて、ベル手段から警告音が発生する警告音発生状態とベル手段から警告音が発生しない警告音停止状態とに切り換え可能な熊避けベルであって、
上記ベル手段は、ベル本体と、磁性体からなり上記ベル本体と衝突して警告音を発生させる打撃部材とを備えており、
上記ベル手段を収容するケーシングを設けるとともに、磁石が設けられた上記切り換え部材を上記ケーシングに移動可能に取り付けて、
上記切り換え部材をベル手段に接近させて上記磁石が上記打撃部材を磁着すると打撃部材が固定されて上記警告音停止状態となり、上記切り換え部材をベル手段から離隔させて、上記磁石による上記打撃部材の磁着状態が解除されると上記警告音発生状態となることを特徴とするものである。
また請求項５の発明は、打撃部材を有して警告音を発生可能なベル手段と、該ベル手段に対して移動可能に設けられた切り換え部材とを備えて、ベル手段から警告音が発生する警告音発生状態とベル手段から警告音が発生しない警告音停止状態とに切り換え可能な熊避けベルであって、
上記ベル手段は、内部が空洞で球状に形成されたベル本体と、該ベル本体の内部に収容された打撃部材としての磁性体からなる転動片とを備えており、
また、上記ベル本体を支持する支持部材を設けるとともに、該支持部材に磁石を設けた上記切り換え部材を揺動可能に設け、
上記切り換え部材を揺動させて上記磁石をベル本体に接近させることにより該磁石によって上記転動片が磁着されると上記警告音停止状態となり、
上記切り換え部材を揺動させて上記磁石をベル本体から離隔させることにより該磁石による転動片の磁着状態が解除されると上記警告音発生状態となることを特徴とするものである。
【発明の効果】
【０００６】
請求項１の構成においても、請求項５の構成においても、小型・軽量であって、かつ警告音発生状態と警告音停止状態とを容易に切換可能な熊避けベルを提供することができる。
【図面の簡単な説明】
【０００７】
【図１】本発明の一実施例を示す断面図。
【図２】図１とは異なる状態を示す断面図。
【図３】図１に示す熊避けベルの平面図。
【図４】図１のＩＶ―ＩＶ線に沿う断面図。
【図５】図１のＶ―Ｖ線に沿う要部の断面図。
【図６】図４と異なる状態を示す断面図。
【図７】図１とは異なる状態を示す断面図。
【図８】本発明の第２実施例を示す断面図。
【図９】図８とは異なる状態を示す断面図。
【図１０】図８とは異なる状態を示す断面図。
【図１１】本発明の他の実施例を示す正面図。
【発明を実施するための形態】
【０００８】
以下、図示実施例について本発明を説明すると、図１において１は熊避けベルであり、この熊避けベル１を使用者がハイキングや山菜取りの際に所持することにより、歩行の際に警告音を発生させて熊に人間の存在を知らせるようになっている。
本実施例の熊避けベル１は、揺れた際に『チリン、チリン』という警告音を発生させる球状をしたベル手段２と、下面が開口して上記ベル手段２を内部に収容した略円筒状のケーシング３と、このケーシング３における下方側の内周面に摺動自在に設けられた切り換え部材４とを備えている。
【０００９】
ベル手段２は従来公知の金属製の鈴と同様の構成を備えている。つまり、ベル手段２は、内部が中空の球状をしたベル本体２Ａと、ベル本体２Ａ内に収容された打撃部材としての転動片２Ｂとを備えている。ベル本体２Ａは非磁性金属（例えば銅）からなり、下端部となる箇所に直線状のスリットが形成されている。転動片２Ｂは磁性体である鉄からなり、立方体形状となっている。ベル手段２が揺れると、打撃部材としての転動片２Ｂが転動してベル本体２Ａに衝突して警告音が発生するようになっている。
ベル本体２Ａの上端となる箇所には、連結ピン５の下端が固定されており、この連結ピン５の上端の貫通孔にリング６が取り付けられている。リング６及び連結ピン５の上端は、ケーシング３よりも上方に突出させてあり、リング６に紐やカラビナを通してリュックサック等の所要箇所に熊避けベル１を装着できるようになっている。
【００１０】
ケーシング３内に切り換え部材４を深く押し込んでベル手段２に接近させると、切り換え部材４の上面に埋設した磁石１１がベル本体２Ａの下端部と接触し、かつ鉄製の転動片２Ｂを磁力によってベル本体２Ａの内面に磁着して固定するようになっている。このように磁石１１によってベル本体２Ａ内に連動片２Ｂが固定された状態が警告音停止状態となり、この状態では、ベル手段２が揺れても警告音は発生しないようになっている。他方、ケーシング３から切り換え部材４を下方側へ下降端位置まで引き出してベル本体２Ａから離隔させると、切り換え部材４の磁石１１がベル本体２Ａの下端部から離隔する（図１、図２参照）。それにより、磁石１１による転動片２Ｂの磁着状態が解除される。この図１、図２に示す状態が警告音発生状態となっており、その状態であれば、連動片２Ｂはベル本体２Ａ内で自由に転動できるので、ベル手段２が揺れるとベル本体２Ａに転動片２Ｂが衝突して警告音が発生するようになっている。つまり、熊避けベル１が揺れると警告音が発生するようになっている。警告音発生状態と警告音停止状態との切り換えは、熊避けベル１の使用者が、切り換え部材４をケーシング３内に深く押し込むか、或いは、その状態から切り換え部材４を下方に引き出すことによって行われるようになっている。
さらに、後に詳述するが、本実施例の熊避けベル１は、警告音発生状態において、ケーシング３を構成する内側筒状部材１２と外側筒状部材１３とを円周方向に所要量相対回転させることにより、熊避けベル１の警告音の音量を調整できるようになっている。
【００１１】
ケーシング３は、有底筒状をした内側筒状部材１２と外側筒状部材１３とから構成されており、開口を下方に向けた内側筒状部材１２に上方側から外側筒状部材１３が被せられている。内側筒状部材１２の上面１２Ａの中央には、貫通孔１２ａが穿設されており、外側筒状部材１３の上面１３Ａの中央にも貫通孔１３ａが穿設されている。
ベル手段２は内側筒状部材１２の内部に収容されており、連結ピン５は、内側筒状部材１２の貫通孔１２ａと外側筒状部材１３の貫通孔１３ａを貫通させて、ケーシング３の外部上方に突出している。前述したように、連結ピン５の上端部に吊り下げ用のリング６が取り付けられている。
内側筒状部材１２及び外側筒状部材１３はともに合成樹脂からなり、それらの円筒部における円周方向の等間隔位置に軸方向に延びる４箇所の切り欠き部１２Ｂ、１３Ｂが形成されている。つまり、内側筒状部材１２の円筒部には、開口部としての４箇所の切り欠き部１２Ｂが形成されるとともに、それらの隣接位置に４箇所の軸方向部１２Ｃが形成されている。内側筒状部材１２の下端部は、円周方向に連続する環状部１２Ｄとなっている。
【００１２】
外側筒状部材１３も上記内側筒状部材１２と同様の構成を備えている。つまり、外側筒状部材１３の円筒部には開口部としての４箇所の切り欠き部１３Ｂが形成されるとともに、それらの隣接位置に４箇所の軸方向部１３Ｃが形成されており、さらに、外側筒状部材１３の下端部は円周方向に連続する環状部１３Ｄとなっている。
図５に示すように、外側筒状部材１３の環状部１３Ｄの内周面の全域には、スプライン状の凹凸が軸方向に形成されており、他方、内側筒状部材１２の外周面の４箇所に、点状の微小突起１２Ｅが形成されている。この外側筒状部材１３の環状部１３Ｄに、内側筒状部材１２の環状部１２Ｄの外周面が嵌合されており、各微小突起１２Ｅは対向位置の凹部に係合している。そのため、使用者がケーシング３を操作しない自然状態では、外側筒状部材１３と内側筒状部材１２は円周方向に相対移動しないようになっている。他方、使用者が指で掴んで外側筒状部材１３と内側筒状部材１２とを円周方向に相対回転するように力を加えると、僅かな摩擦抵抗を維持して外側筒状部材１３と内側筒状部材１２が円周方向に相対回転されるようになっている。
上記環状部１２Ｄを含めた内側筒状部材１２の下方側の内周面に、切り換え部材４が摺動自在に嵌合されている。
【００１３】
切り換え部材４も有底円筒状に形成されており、その上面４Ａの中央に形成された凹部４Ｂ内に円柱状の磁石１１が埋設されている。切り換え部材４の上方側の外周部には環状溝４Ｃが形成されており、切り換え部材４の下端外周部は半径方向外方に延びたフランジ部４Ｄとなっている。
切り換え部材４の円筒部の外径は、上記内側筒状部材１２の内径よりも僅かに小さな寸法に設定されており、そのため、切り換え部材４は内側筒状部材１２に下方側から摺動自在に嵌合されている。
切り換え部材４の軸方向寸法は、内側筒状部材１２の下端部からベル本体２Ａの下端部までの距離よりも少し長い寸法に設定されている。そのため、熊避けベル１の使用者が、下方側から切り換え部材４を内側筒状部材１２の内部に深く押し込んでベル本体２Ａに接近させると、切り換え部材４の上面４Ａと同一平面となっている磁石１１が、ベル本体２Ａの下端部に接触する（図７参照）。すると、ベル手段２内の転動片２Ｂが磁石１１によって磁着されて、ベル本体２Ａの内面に固定されるようになっている。つまり、警告音停止状態に維持されるので、図７に示す警告音停止状態では、ベル手段２、熊避けベル１全体が揺動してもベル手段２から警告音は発生しないようになっている。
【００１４】
他方、図７に示す警告音停止状態から使用者が切り換え部材４を内側筒状部材１２から下方へ引き出して本体部２Ａから離隔させると、切り換え部材４の環状溝４Ｃが内側筒状部材１２の環状部１２Ｄと係合する（図１、図２に示す状態）。この状態においては、切り換え部材４の磁石１１はベル本体２Ａの下端部から大きく離隔し、磁石１１による転動片２Ｂの磁着状態が解除される。つまり、ベル手段２は、警告音を発生させる警告音発生状態に切り換わるようになっている。
また、図１、図２に示す警告音発生状態から使用者がケーシング３における外側筒状部材１３の上面１３Ａと切り換え部材４の下面であるフランジ部４Ｄに上下から指を掛けて上下方向から圧縮させると、内側筒状部材１２の下端部が弾性変形して拡開されることにより、環状溝４Ｃが環状部１２Ｄから離脱して、切り換え部材４が内側筒状部材１２内に深く押し込まれる。それにより、切り換え部材４の磁石１１がベル本体２Ａの下端部に接触し、転動片２Ｂを磁着してベル本体２Ａ内で固定するようになっている。つまり、図７に示す警告音停止状態に切り換わるようになっている。
このように、本実施例においては、切り換え部材４をケーシング３の内側筒状部材１２に深く押し込んでベル本体２Ａに接近した状態と、内側筒状部材１２から引き出されて環状溝４Ｃに環状突起１２Ｂが係合した状態（ベル本体２Ａから離隔した状態）とに切り換えることで、警告音が発生する警告音発生状態と警告音が発生しない警告音停止状態とに切り換えることができる。
なお、環状溝４Ｃの隣接上方側には、ストッパ４Ｅとしての環状突起が形成されており、このストッパ４Ｅが環状部１２に当接することで、切り換え部材４が内側筒状部材１２から脱落しないようになっている。つまり、環状溝４Ｃに環状部１２Ｄが係合している状態（図１、図２の状態）は、内側筒状部材１２に対して切り換え部材４が最下端まで引き出された状態となる。その状態が、警告音を発生させる警告音発生状態となっている。
【００１５】
さらに、本実施例においては、図１ないし図２に示した警告音発生状態において、内側筒状部材１２と外側筒状部材１３との円周方向の相対位置を変更することで、熊避けベル１の警告音の音量を調整できるようになっている。
すなわち、前述したように、内側筒状部材１２及び外側円筒部材１３の円筒部には、開口としての４箇所の切り欠き部１２Ｂ、１３Ｂと、その隣接位置に４箇所の軸方向部１２Ｃ、１３Ｃが形成されている。
図１、図４に示すように、内側筒状部材１２及びそれに係合した状態の切り換え部材４を、外側筒状部材１３に対して円周方向に所要量相対回転させて、内側筒状部材１２の４箇所の軸方向部１２Ｃを、外側筒状部材１３の４箇所の軸方向部１３Ｃと円周方向のずれなく完全に重合させる。この状態では、内側筒状部材１２の各切り欠き部１２Ｂと外側筒状部材１３の各切り欠き部１３Ｂとが円周方向のずれなく重合し、各切欠き部１２Ｂ、１３Ｂからなる開口部の開放量が最大となる。そのため、図１、図４に示すようにケーシング３全体でみると開口部の開放量が最大となる状態においては、ベル手段２で発生する警告音が最大となる。
【００１６】
他方、図１、図４に示す警告音が最大となる状態から内側筒状部材１２及びそれに係合した切り換え部材４を、外側筒状部材１３に対して円周方向に所要角度相対回転させると、外側筒状部材１３の軸方向部１３Ｃによって内側筒状部材１２の切り欠き部１２Ｂが部分的に閉鎖されるとともに、内側筒状部材１２の軸方向部１２Ｃによって外側筒状部材１３の切り欠き部１３Ｂが部分的に閉鎖される。つまり、ケーシング３全体でみると、４箇所の開口部の開放量が小さくなる（図２、図６参照）。そのため、図１、図４に示した状態と比較して、ベル手段２が揺動されて警告音が発生した際の音量は、図２、図６に示した状態の方が小さくなる。
このように、本実施例においては、警告音発生状態において、内側筒状部材１２とそれに係合した切り換え部材４を、外側筒状部材１３に対して円周方向に相対回転させることにより、図１、図４に示す警告音の音量が最大となる状態からそれよりも音量が小さくなる状態に調整することができる。
【００１７】
以上のように、本実施例の熊避けベル１は、警告音発生状態と警告音停止状態とを切り換える場合には、使用者は切り換え部材４を内側筒状部材１２内に深く押し込んでベル本体２Ａに接近させるか、或いは、内側筒状部材１２から切り換え部材４を下降端まで引き出してベル本体２Ａから離隔させればよい。この切り換え操作は、熊避けベル１を使用者が目で見て確認することなく片手の指を使って容易に操作することができる。そのため、例えば電車や市街地など、警告音が他の通行人等に対して迷惑となる場合や、熊が発生しそうな地域に侵入した場合において、使用者は熊避けベル１を装着したリュックサックを下す必要がなく、手探りで警告音発生状態と警告音停止状態とを容易に切り換えることができる。また、本実施例の熊避けベル１は構成が簡略であるため、従来と比較して小型・軽量の熊避けベル１を提供できる。
さらに、本実施例においては、警告音発生状態において発生する警告音を最大の音量からそれよりも所要量小さな音量に調整することができるので、熊避けベル１を使用する際の現場の状況に応じて警告音を好適な音量とすることができる。
【００１８】
次に、図８ないし図１０は本発明の第２実施例を示したものである。この第２実施例は、上記第１実施例における鈴状のベル手段２の代わりに、音響ワン部２２と振り子形の打撃部２３とからなるベル手段２を用いたものである。
すなわち、ベル手段２は、お椀状の非磁性金属からなる音響ワン部２２と、磁性体（鉄）からなる棒状の打撃部２３とを備えており、打撃部２３の上端は、連結ピン５の下端部に揺動可能に取り付けられている。連結ピン５の上端は、音響ワン部２２の頂部の貫通孔２２Ａ及び内側筒状部材１２と外側筒状部材１３の貫通孔１２ａ、１３ａを貫通して上方に突出させてあり、この連結ピン５の上端にリング６が取り付けられている。
打撃部材２３の下端部の高さは、音響ワン部２２の下端部の高さと略同じ高さに維持されており、打撃部材２３が揺動された際にその下端部が音響ワン部２２に衝突することで警告音が発生するようになっている（図８、図９参照）。
その他の構成は上述した第１実施例の構成と同じであり、第１実施例と対応する各部材に同じ部材番号を付している。このような構成を有する第２実施例であっても、上記第１実施例と同様の作用・効果を得ることができる。
なお、上述した各実施例は、ケーシング３を内側筒状部材１２と外側筒状部材１３とから構成して、それらを円周方向に所要角度相対回転させることで警告音の音量を調整できるようになっているが、ケーシング３としては外側筒状部材１３を省略した構成であってもよい。つまり、ケーシング３を内側筒状部材１２のみによって構成して警告音の音量調整機能を省略して、警告音発生状態と警告停止状態とに切り換え可能に構成する。そのような構成であれば、上記各実施例と比較して、より一層、熊避けベル１を小型・軽量化することができる。
【００１９】
次に、図１１は本発明のさらに別の実施例を示したものであり、この実施例は上述した各実施例におけるケーシング３を省略した構成となっている。すなわち、熊避けベル１は、図１の実施例と同様の球状をしたベル手段２と、角柱状に形成されて、一端を上記ベル手段２のベル本体２Ａに連結された支持部材３１と、この支持部材３１に揺動可能に取り付けられた切り換え部材４とを備えている。
ベル手段２は、非磁性体からなるベル本体２Ａと、磁性体である鉄製の転動片２Ｂから構成されている。本実施例においては、切り換え部材４は棒状部材からなり、切り換え部材４の先端（一体）には磁石１１が連結されている。切り換え部材４の基部（他端）はＬ字状に折り曲げられており、その基部を支持部材３１の有底孔に嵌合させている。それにより、切り換え部材４全体が揺動可能となっている。
切り換え部材４を揺動させて磁石１１をベル本体２Ａに接近させると、磁石１１によって鉄製の転動片２Ｂが磁着されて固定される。この状態が警告音停止状態となる（実線で示す状態）。他方、切り換え部材４を揺動させて磁石１１をベル本体２から離隔させると、磁石１１による転動片２Ｂの磁着状態が解除される（想像線で示す状態）。この状態が警告音発生状態となる。支持部材３２の他端にはコイル状連結具３２を連結してあり、このコイル状連結具３２等を介して熊避けベル１を所要箇所に吊り下げるようになっている。
この図１１に示す実施例であっても、上述した各実施例と同様の作用・効果を得ることができる。
【符号の説明】
【００２０】
１‥熊避けベル                    ２‥ベル手段
２Ａ‥ベル本体                    ２Ｂ‥転動片（打撃部材）
４‥切り換え部材                  １１‥磁石
【図１】
0006376336.tif 000002
【図２】
0006376336.tif 000003
【図３】
0006376336.tif 000004
【図４】
0006376336.tif 000005
【図５】
0006376336.tif 000006
【図６】
0006376336.tif 000007
【図７】
0006376336.tif 000008
【図８】
0006376336.tif 000009
【図９】
0006376336.tif 000010
【図１０】
0006376336.tif 000011
【図１１】
0006376336.tif 000012